(57)【特許請求の範囲】
【請求項１】
副走査方向に読取位置を移動して１ラインずつ原稿画像をスキャンするスキャナー部と、
（ａ）前記スキャナー部を制御して、前記読取位置の移動速度を第１速度に設定して、ブック原稿の画像をスキャンさせ、（ｂ）前記スキャンにより得られたスキャン画像内の前記ブック原稿における綴じ位置に陰領域がある場合、前記スキャナー部を制御して、前記読取位置の移動速度を、前記第１速度の半分である第２速度に設定して、前記ブック原稿の画像を再スキャンさせる制御部と、
前記第２速度で前記ブック原稿の画像が再スキャンされた場合、前記綴じ位置を中心とした所定長の綴じ区間以外の範囲において、前記再スキャンにより得られた前記ブック原稿の画像のラインを２分の１の割合で間引き、前記綴じ区間において、前記再スキャンにより得られた前記ブック原稿の画像のラインを間引かない画像処理部と、
を備え、
前記制御部は、所定のユーザー操作が検出されると、前記ブック原稿の綴じ部が主走査方向に沿って配置されるように前記ブック原稿の載置方向を示す指示を表示装置に表示すること、
を特徴とする画像読取装置。
【請求項２】
前記制御部は、（ｂ１）前記第１速度でスキャンしたときに得られた前記スキャン画像内の前記ブック原稿の画像の副走査方向の先端位置および後端位置を特定し、前記先端位置および前記後端位置の中心位置を前記綴じ位置として特定し、（ｂ２）前記綴じ位置を含み前記副走査方向に延びる所定値以下の輝度を有する領域を前記陰領域として特定することを特徴とする請求項１記載の画像読取装置。
【請求項３】
前記画像処理部は、前記綴じ区間内で、前記綴じ区間の先端位置および後端位置付近の所定長の区間において、前記再スキャンにより得られた前記ブック原稿の画像のラインを、２分の１より少ない割合で間引くことを特徴とする請求項１または請求項２記載の画像読取装置。
【請求項４】
前記制御部は、前記綴じ区間の長さを前記陰領域の副走査方向における長さに応じて調節することを特徴とする請求項１から請求項３のうちのいずれか１項記載の画像読取装置。
【発明の詳細な説明】
【技術分野】
【０００１】
本発明は、画像読取装置に関するものである。
【背景技術】
【０００２】
ブック原稿（綴じ部を中心とした見開き２ページの原稿）をスキャナーなどで読み取る場合、綴じ部が原稿台から浮き上がることに起因して、スキャン画像内の綴じ部周辺の画像が歪むことがある。
【０００３】
そのため、ある画像処理装置では、原稿画像と背景との間の境界線の傾きに基づいて、スキャン画像内の綴じ部の補正を行っている（例えば特許文献１参照）。
【先行技術文献】
【特許文献】
【０００４】
【特許文献１】特開２０００−２２９３２号公報
【発明の概要】
【発明が解決しようとする課題】
【０００５】
しかしながら、上述の画像処理装置では、副走査方向の各区間において境界線の傾きを特定するという複雑な画像処理を行うことで、スキャン画像内の綴じ部の補正を行っているため、画像処理装置に高速な処理能力が要求される。
【０００６】
本発明は、上記の問題に鑑みてなされたものであり、高速な処理能力および大きなメモリー領域を必要とせずに、ブック原稿の綴じ位置周辺における画像の歪みを軽減する画像読取装置を得ることを目的とする。
【課題を解決するための手段】
【０００７】
本発明に係る画像読取装置は、副走査方向に読取位置を移動して１ラインずつ原稿画像をスキャンするスキャナー部と、（ａ）前記スキャナー部を制御して、前記読取位置の移動速度を第１速度に設定して、ブック原稿の画像をスキャンさせ、（ｂ）前記スキャンにより得られたスキャン画像内の前記ブック原稿における綴じ位置に陰領域がある場合、前記スキャナー部を制御して、前記読取位置の移動速度を、前記第１速度の半分である第２速度に設定して、前記ブック原稿の画像を再スキャンさせる制御部と、前記第２速度で前記ブック原稿の画像が再スキャンされた場合、前記綴じ位置を中心とした所定長の綴じ区間以外の範囲において、前記再スキャンにより得られた前記ブック原稿の画像のラインを２分の１の割合で間引き、前記綴じ区間において、前記再スキャンにより得られた前記ブック原稿の画像のラインを間引かない画像処理部とを備える。さらに、前記制御部は、所定のユーザー操作が検出されると、前記ブック原稿の綴じ部が主走査方向に沿って配置されるように前記ブック原稿の載置方向を示す指示を表示装置に表示する。
【発明の効果】
【０００８】
本発明によれば、画像読取装置において、高速な処理能力および大きなメモリー領域を必要とせずに、ブック原稿の綴じ位置周辺における画像の歪みが軽減される。
【図面の簡単な説明】
【０００９】
【図１】図１は、本発明の実施の形態に係る画像読取装置の構成を示すブロック図である。
【図２】図２は、図１におけるスキャナー部１の内部構成の一例を示す側面図である。
【図３】図３は、スキャン画像内のブック原稿における綴じ位置、陰領域、および綴じ区間を説明する図である。
【図４】図４は、図１に示す画像読取装置の動作について説明するフローチャートである。
【発明を実施するための形態】
【００１０】
以下、図に基づいて本発明の実施の形態を説明する。
【００１１】
図１は、本発明の実施の形態に係る画像読取装置の構成を示すブロック図である。図１に示す画像読取装置は、スキャナー機、コピー機、ファクシミリ機、複合機などといった装置である。図１に示す画像読取装置は、互いに接続された、スキャナー部１、画像処理部２、メモリー３、制御部４、出力部５、および操作パネル６を備える。
【００１２】
スキャナー部１は、原稿のページ画像を光学的に読み取り、そのページ画像（つまり、入力画像）の画像データを生成し出力する。画像データは、例えばＲＧＢ値などといった各画素の画像情報を含むデータである。
【００１３】
図２は、図１におけるスキャナー部１の内部構成の一例を示す側面図である。
【００１４】
図２に示すスキャナー部１は、コンタクトガラス１１ａ，１１ｂ、キャリッジ１２，１３、結像レンズ１４、イメージセンサー１５、白基準パッチ１６、および原稿カバー１７を有する。
【００１５】
コンタクトガラス１１ａは、当該画像読取装置の上面に設置され、原稿カバー１７の原稿自動送り装置（ＡＤＦ：Auto Document Feeder）を使用せずに画像読取を行う場合に原稿を載置される。原稿がブック原稿である場合、ブック原稿は、コンタクトガラス１１ａ上に載置される。
【００１６】
また、コンタクトガラス１１ｂは、当該画像読取装置の上面に設置され、原稿カバー１７のＡＤＦで原稿を自動的に搬送しつつ画像読取を行う際に、原稿がその上を通過する。
【００１７】
キャリッジ１２は、図示せぬ駆動源によって副走査方向に移動可能に設置されている。キャリッジ１２は、光源２１とミラー２２とを有する。光源２１は、主走査方向に沿って配置され、例えば配列された複数の発光ダイオードで光を出射する。光源２１から出射された光は、キャリッジ１２の位置に応じて、コンタクトガラス１１ａ上に載置された原稿、コンタクトガラス１１ｂ上を通過する原稿などで反射する。ミラー２２は、原稿などからの反射光を反射する。
【００１８】
また、キャリッジ１３は、図示せぬ駆動源によってキャリッジ１２とともに副走査方向に移動可能に設置されている。キャリッジ１３は、ミラー２３，２４を有する。ミラー２３，２４は、キャリッジ１２のミラー２２からの光を反射して副走査方向に沿って出射する。
【００１９】
結像レンズ１４は、ミラー２４からの光をイメージセンサー１５に結像させる。イメージセンサー１５は、主走査方向に配列された所定の画素数の受光素子を有する一次元イメージセンサーであり、ラインごとに、その画素数の画素についての受光量に対応する電気信号を出力する。イメージセンサー１５としては、例えば、ＣＣＤ（Charge Coupled Device）が使用される。
【００２０】
白基準パッチ１６は、装置内部の天面に配置され、白色の基準データを取得するために使用される板状の部材である。
【００２１】
原稿カバー１７は、コンタクトガラス１１ａに面接触可能で回動自在に設置されている部材であって、原稿をコンタクトガラス１１ａに密着させるとともに、画像読取時に環境光がコンタクトガラス１１ａから装置内部へ入射することを防ぐ。また、原稿カバー１７は、ＡＤＦを有しており、原稿トレイ１７ａに載置された原稿を１枚ずつ搬送ローラー１７ｂによって搬送し、コンタクトガラス１１ｂ上を通過させる。
【００２２】
このような構成によって、スキャナー部１は、副走査方向に読取位置（つまり、キャリッジ１２，１３）を移動して１ラインずつ原稿画像をスキャンする。
【００２３】
また、画像処理部２は、入力画像の画像データに対して所定の処理を施す。画像処理部２は、スキャナー部１により出力された画像データに対して所定の処理を施す。画像処理部２は、その所定の処理後の画像データをメモリー３内の所定のメモリー領域に書き込んでいく。例えば、画像処理部２は、ＡＳＩＣ（Application Specific Integrated Circuit）で構成される。
【００２４】
また、メモリー３は、ＤＲＡＭ（Dynamic Random Access Memory）などの揮発性メモリーである。メモリー３において、画像処理部２、制御部４などによる処理に要求されるメモリー領域が適宜確保される。
【００２５】
また、制御部４は、スキャナー部１、画像処理部２、メモリー３、出力部５、および操作パネル６を制御する。
【００２６】
制御部４は、（ａ）スキャナー部１を制御して、上述の読取位置の移動速度を第１速度に設定して、ブック原稿の画像（画像全域）をスキャンさせ、（ｂ）そのスキャンにより得られたスキャン画像内のブック原稿における綴じ位置に陰領域がある場合、スキャナー部１を制御して、上述の読取位置の移動速度を、第１速度の半分である第２速度に設定して、ブック原稿の画像（画像全域）を再スキャンさせる。
【００２７】
図３は、スキャン画像内のブック原稿における綴じ位置、陰領域、および綴じ区間を説明する図である。
【００２８】
具体的には、図３に示すように、制御部４は、（ｂ１）第１速度でスキャンしたときに得られたスキャン画像内のブック原稿の画像１０１の副走査方向の先端位置および後端位置を特定し、その先端位置および後端位置の中心位置を綴じ位置として特定し、（ｂ２）その綴じ位置を含み副走査方向に延びる所定値以下の輝度を有する領域（ライン）を陰領域１０２として特定する。
【００２９】
そして、第２速度でブック原稿の画像が再スキャンされた場合、画像処理部２は、綴じ位置を中心とした所定長の綴じ区間以外の範囲において、再スキャンにより得られたブック原稿の画像のラインを２分の１の割合で間引く。
【００３０】
図３に示すように、綴じ区間では、ブック原稿の綴じ部の浮き上がりに起因して、原稿内の文字などのオブジェクトは、副走査方向に潰れてしまっている。そこで、再スキャン時では、副走査方向において、綴じ区間外の範囲と対比して、綴じ区間内の解像度が実質的に２倍になるように、スキャン画像内のラインが間引かれるため、ブック原稿の綴じ部の浮き上がりに起因した原稿内のオブジェクトの歪みが軽減される。
【００３１】
また、出力部５は、画像処理部２による画像処理後の画像データをデータファイルとして出力したり、図示せぬ電子写真方式の印刷機構などで、画像処理部２による画像処理後の画像データに基づく画像を印刷したりする。
【００３２】
また、操作パネル６は、ユーザーに操作画面などを表示する表示装置（液晶ディスプレイなど）、およびユーザー操作を受け付ける入力装置（タッチパネル、ハードキーなど）を備える。
【００３３】
次に、上記画像読取装置の動作について説明する。図４は、図１に示す画像読取装置の動作について説明するフローチャートである。
【００３４】
ユーザーは、ブック原稿の画像読取を行いたい場合、まず、操作パネル６を操作して、ブック原稿読取モードを設定し、コンタクトガラス１１ａ上にブック原稿を載置する。
【００３５】
操作パネル６がブック原稿読取モードを設定するためのユーザー操作を検出すると、制御部４は、ブック原稿読取モードを設定し（ステップＳ１）、ブック原稿の載置方向を示す指示（メッセージまたは画像）を操作パネル６に表示する（ステップＳ２）。このとき、略直線状の綴じ部が主走査方向に沿って配置されるように、ブック原稿の載置方向が指示される。
【００３６】
次に、制御部４は、スキャナー部１を制御して、上述の読取位置の移動速度を第１速度に設定して、ブック原稿の画像をスキャンさせる（ステップＳ３）。この第１速度は、例えば、ユーザーにより指定されたスキャン画像の解像度に応じて決定される。
【００３７】
そして、制御部４は、そのスキャンにより得られたスキャン画像内のブック原稿における綴じ位置を上述のように特定し（ステップＳ４）、その綴じ位置に陰領域があるか否かを判定する（ステップＳ５）。
【００３８】
その綴じ位置に陰領域がある場合、制御部４は、スキャナー部１を制御して、上述の読取位置の移動速度を、第１速度の半分である第２速度に設定して、ブック原稿の画像を再スキャンさせるとともに、画像処理部２に間引き処理を実行させる（ステップＳ６）。このとき、画像処理部２は、綴じ区間以外の範囲において、再スキャンにより得られたブック原稿の画像のラインを２分の１の割合で間引く。
【００３９】
つまり、読取位置の移動速度が２分の１であるので、スキャンによって得られる画像のライン数は２倍となっている。そこで、綴じ区間以外の範囲については、ラインを２分の１の割合で間引くことで、第１速度でのスキャンの解像度と同一の解像度が得られる。綴じ区間については、ラインが間引かれないので、綴じ区間以外の範囲に比べ２倍の解像度（ライン密度）となる。
【００４０】
そして、出力部５は、このようにして再スキャンおよび間引き処理によって得られた画像の印刷またはその画像の画像データの出力を行う（ステップＳ７）。
【００４１】
一方、その綴じ位置に陰領域がないと判定した場合、制御部４は、再スキャンを実行せず、出力部５は、ステップＳ３のスキャンによって得られた画像の印刷またはその画像の画像データの出力を行う（ステップＳ７）。
【００４２】
以上のように、上記実施の形態によれば、スキャナー部１は、副走査方向に読取位置を移動して１ラインずつ原稿画像をスキャンする。制御部４は、（ａ）スキャナー部１を制御して、読取位置の移動速度を第１速度に設定して、ブック原稿の画像をスキャンさせ、（ｂ）そのスキャンにより得られたスキャン画像内のブック原稿における綴じ位置に陰領域がある場合、スキャナー部１を制御して、読取位置の移動速度を、第１速度の半分である第２速度に設定して、ブック原稿の画像を再スキャンさせる。画像処理部２は、第２速度で前記ブック原稿の画像が再スキャンされた場合、綴じ位置を中心とした所定長の綴じ区間以外の範囲において、再スキャンにより得られたブック原稿の画像のラインを２分の１の割合で間引く。
【００４３】
これにより、高速な処理能力および大きなメモリー領域を必要とせずに、ブック原稿の綴じ位置周辺における画像の歪みが軽減される。
【００４４】
なお、上述の実施の形態は、本発明の好適な例であるが、本発明は、これらに限定されるものではなく、本発明の要旨を逸脱しない範囲において、種々の変形、変更が可能である。
【００４５】
例えば、上記実施の形態において、画像処理部２は、上述の綴じ区間内で、上述の綴じ区間の先端位置および後端位置付近の所定長の区間において、再スキャンにより得られた前記ブック原稿の画像のラインを、２分の１より少ない割合（例えば３分の１）で間引くようにしてもよい。綴じ区間の先端位置および後端位置付近では、オブジェクトの歪みの度合いが少ないので、このようにすることで、綴じ区間の歪みがより軽減される。
【００４６】
また、上記実施の形態において、綴じ区間の長さは、ブック画像の先端位置と後端位置との間の距離に応じて決定するようにしてもよい。また、制御部４は、上述の綴じ区間の長さを上述の陰領域の副走査方向における長さに応じて調節するようにしてもよい。つまり、陰領域が長い場合には、綴じ区間の長さを大きくし、陰領域が短い場合には、綴じ区間の長さを短くする。
【産業上の利用可能性】
【００４７】
本発明は、例えば、スキャナーなどの画像読取装置に適用可能である。
【符号の説明】
【００４８】
１  スキャナー部
２  画像処理部
４  制御部
【図１】
0006288514.tif 000002
【図２】
0006288514.tif 000003
【図３】
0006288514.tif 000004
【図４】
0006288514.tif 000005